(57)【特許請求の範囲】
【請求項１】
ビンを搬送するためのコンベヤの上方に、コンベヤチェーンを横切るように配置され、コンベヤチェーンの表面全体を潤滑するために該コンベヤチェーンを横切って潤滑剤組成物を供給する潤滑剤組成物分配装置（Ｂ）であって、
複数の横穿孔（２ｂ）を有する収集管（２）と吸収フェルト布（５）とを内部に収容した中空体（１）を含み、前記吸収フェルト布（５）が中空体（１）の底部開口（６）を介して中空体（１）から部分的に突出し、コンベヤチェーンにかかる支持重なり部を形成する、潤滑剤組成物分配装置（Ｂ）。
【請求項２】
さらに、カバー（３）とシール（４）とを含み、カバーが中空体（１）の上部に取り付けられ、シールが中空体の上部とカバーの間に位置する請求項１に記載の潤滑剤組成物分配装置。
【請求項３】
さらに、潤滑剤組成物注入弁（７）を含み、潤滑剤組成物注入弁が中空体（１）の外部に取り付けられ、収集管（２）に接続されている請求項１に記載の潤滑剤組成物分配装置。
【請求項４】
コンベヤがビン詰め産業で使用される請求項１に記載の潤滑剤組成物分配装置。
【請求項５】
潤滑剤組成物分配装置が、潤滑剤組成物をチェーンに噴霧するインジェクタ（Ａ）を含まない請求項１に記載の潤滑剤組成物分配装置。
【請求項６】
高密度のフェルトで構成された吸収布（５）が、チェーンに接触する外側部（５ｂ）を有する請求項１に記載の潤滑剤組成物分配装置。
【請求項７】
前記吸収布（５）の外側部（５ｂ）が、接触することにより潤滑剤をチェーンに供給する請求項６に記載の潤滑剤組成物分配装置
【発明の詳細な説明】
【０００１】
発明の分野
本発明は潤滑剤組成物用の分配装置に関する。より詳細には、本発明は、ビン詰め産業を含む種々の産業で使用されるコンベヤのベルトに潤滑剤組成物を分配する分配装置を対象とする。
【０００２】
発明の背景
例えばビン詰め工場では、一般に、ビンをコンベヤ上に保持するサイドレーリングを有するステンレス鋼、鉄またはプラスチックのチェーンで作られたコンベヤベルトからなるコンベヤによりビンが搬送される。従来のビン詰めラインは、コンベヤベルトを構成する多数のこの型のチェーンを含んでいる。
【０００３】
チェーンの表面は、コンベヤ上で搬送されるビンが定位置にとどまるよう潤滑されなければならない。したがってそのような潤滑は、例えば機械の故障やコンベヤの一時停止によりビンが止まる際にビンがコンベヤから落下するのを防ぐ。これは潤滑により、静止したビンを落下させることなくコンベヤベルトのチェーンが（摩擦のない状態で）動いて進むことができるため、そのようになる。
【０００４】
しかし、適宜の潤滑がなされない場合、コンベヤベルトのチェーンが破損または切断され、ビンが落下して中身の流出、破損、またはその両方が生じ得る。さらに応力によりコンベヤのモータ減速機がコイルを破損または焼損させる。したがって不適当に潤滑したコンベヤにより生産が停止してしまい、その結果ビン詰め産業において重大な経済的損失を被ることになり得る。
【０００５】
従来のビン詰めラインの潤滑プロセスは一般に以下のように行われる。
【０００６】
潤滑剤組成物供給源を備えた装置が、コンベヤ側部に取り付けられた管を介して潤滑剤を供給する。組成物は管から３／４バーと注入ホルダとを含むコレクタへ送られる。インジェクタは寸法が０．３０〜０．５０ｍｍの範囲で変わる孔を有し、各コンベヤベルトの中央に１つのインジェクタが配置されてコンベヤ全体に潤滑剤組成物を均一に分配できるようにしている。
【０００７】
しかしそのような従来の方法はいくつかの問題や不利益を呈する。これは注入孔が頻繁に詰まり易いため、そのようになる。さらに潤滑剤組成物の多く、例えば約７０％はコンベヤ上のビンのせいで分配される前に床に落下してしまう。したがって潤滑剤組成物の３０％のみが使用され、残りは無駄になるため環境に悪い状態を作り出す。さらに従来の方法は、ビン詰めされる製品をしばしば汚染する潤滑剤組成物の霧を噴霧する噴出口を含んでいる。
【０００８】
上記の問題のない、潤滑剤組成物を添加または分配する分配装置を製造することに関心が集まっている。したがって本発明は、複数の横穿孔を呈する収集管と、好ましくは高密度のフェルトで構成され前記中空体から底部開口を介して部分的に突出した吸収フェルト布とを内部に収容した中空体を含む潤滑剤組成物分配装置に向けたものである。
【０００９】
発明の概要
本発明は孔板を通して機能することのない新しい分配装置に基づく。分配装置は、ステンレス鋼、プラスチックまたはその他の材料で作られ、各特定のコンベヤに供給するチェーンによって寸法が変わる中空体で構成される。
【００１０】
中空体は吸収布を一端が中空体底部から突出するように収容している。本発明の分配装置はコンベヤのヘッドごとに設置される。分配装置はステンレス製の留め具により、布が中空体から突出してコンベヤチェーンにかかるようコンベヤに取り付けられる。
【００１１】
分配装置には当技術分野で知られている分配装置と同様に、コンベヤ側部に取り付けられた管により送給される。潤滑剤組成物は分配装置の中空体に送り込むよう供給され、組成物は布に吸収され、次いで布がコンベヤチェーンに接触することにより潤滑剤組成物を移す。
【００１２】
この新規の潤滑剤組成物分配装置は、知られているシステムと比較して以下の利点を呈する。
【００１３】
本発明の分配装置は分配される合成剤により詰まることがないため、人手を節約できる。さらに、チェーン自体が組成物を運ぶことにより合成剤が床にはねるのが防止されるため、潤滑剤組成物が１００％使用される。さらに本発明の分配装置によりコンベヤチェーン全体に均一に潤滑されるように組成物を定量分配できる。したがって、本発明の優れた分配装置により、高濃度の潤滑剤組成物が少ない消費量でコンベヤチェーンに添加される。また、本発明の装置により水の消費量を少なくすることができ、本発明の装置を用いた潤滑の濃度がより高いため、配水路が不要になる。
【００１４】
好ましい実施形態の詳細な説明
図１は潤滑剤をチェーンＣに噴霧するインジェクタＡを用いた従来の潤滑システムを示している。
【００１５】
図２はチェーンＣの動作位置に配された、本発明による分配装置Ｂを示している。
【００１６】
図３は分配装置Ｂの分解図であり、分配装置Ｂが中空体１で形成され、中空体１が、横穿孔２ｂと端部雌ねじ２ｃとを呈する収集管２、前記中空体１のカバー３、シール４、高密度のフェルトで構成され主要部分が中空体１の内部にあり開口６を介して中空体から突出しチェーンＣにかかる支持重なり部（supporting overlap）を形成する吸収布５を内部に収容していることが見て取れる。また、中空体１の外部に取り付けられ、潤滑剤を収集管２に差し込むよう端部雌ねじ２Ｃに接続された注入弁７も示されている。
【００１７】
明らかに、中空体１の長さはコンベヤの仕様によって変えることができ、必要であれば複数の中空体１を収集管２の出口孔８により結合することができる。
【００１８】
操作位置で組み立てる際に、液体の潤滑剤組成物が弁７を介して収集管２に注入される。組成物は前記収集管に作られた穿孔２ｂを通過して中空体１を満たす。続いて液体の潤滑剤組成物はフェルト布５を浸して前記布５の外側の自由端部５ｂへと進む。
【００１９】
布５の外側部５ｂはチェーンＣにかかり、吸収布５が矢印Ｄ方向に位置を変えると、布５の外側自由端部５ｂが潤滑剤組成物をその適宜の潤滑に必要な量だけチェーンＣに送る。
【図面の簡単な説明】
【図１】  従来の潤滑剤分配システムの概略図である。
【図２】  コンベヤチェーンに配された、本発明による分配装置の概略図である。
【図３】  本発明による分配装置の分解図である。
【図１】
0004555477.tif 000002
【図２】
0004555477.tif 000003
【図３】
0004555477.tif 000004